(57)【特許請求の範囲】
【請求項１】
便器本体１の下部に形成されたスカート部２の内側に配置される排水ソケット８を介して腰掛け式便器を床面に固定する構造において、前記排水ソケット８は中央上部を便器排水口４が嵌合する便器接続部１０とし、また排水ソケット８には便器本体１を固定するための固定部１６が設けられ、この固定部１６は前記便器接続部１０とほぼ等しい高さに設けられるとともに上下方向の取付け穴１７が形成され、この取付け穴１７内にはナット１８がインサートされ、また便器の床面から高くなった箇所には平面部５が形成され、この平面部５に取付け穴６が形成され、この取付け穴６から挿入したボルト２０を前記ナット１８に螺合せしめたことを特徴とする腰掛け式便器の固定構造。
【請求項２】
請求項１に記載の腰掛け式便器の固定構造において、前記固定部は便器の排水口を排水ソケットに嵌合した状態で、便器に形成した取付け穴と対向する位置にくるようにしたことを特徴とする腰掛け式便器の固定構造。
【請求項３】
請求項１に記載の腰掛け式便器の固定構造において、前記固定部は排水ソケットの一部をなすことを特徴とする腰掛け式便器の固定構造。
【請求項４】
請求項１に記載の腰掛け式便器の固定構造において、前記固定部は排水ソケットとは別体で排水ソケットと組合せて一体となることを特徴とする腰掛け式便器の固定構造。
【請求項５】
請求項１乃至請求項４に記載の腰掛け式便器の固定構造において、前記固定部の上端は便器の排水口が嵌合する排水ソケットのゴムジョイントよりも低い位置にあることを特徴とする腰掛け式便器の固定構造。
【請求項６】
請求項１乃至請求項４に記載の腰掛け式便器の固定構造において、前記固定部には、便器を据え付けた際に便器の取付け穴に嵌り込む凸部が形成されていることを特徴とする腰掛け式便器の固定構造。
【請求項７】
請求項１乃至請求項４に記載の腰掛け式便器の固定構造において、前記ボルトは樹脂製であることを特徴とする腰掛け式便器の固定構造。
【発明の詳細な説明】
【０００１】
本発明は腰掛け式便器の固定構造に関する。
【従来の技術】
【０００２】
図８は従来の腰掛け式便器の背面図、図９は従来の腰掛け式便器の側面図であり、従来の腰掛け式便器の床面に対する固定は、床面に排水ソケット１００を固定し、この排水ソケット１００に便器本体１０１の排水口１０２を嵌合するとともに、便器本体１０１の後部両側に設けた平面部１０１ａ，１０１ａをボルト１０３を介して前記排水ソケット１００に固定し、更に便器本体１０１の前部については床面に取付けた固定片１０４に横方からボルト１０５を介して固定するようにしている。
【０００３】
前記排水ソケット１００と平面部１０１ａとの結合については、図１０（ａ）〜（ｃ）に示す構造がある。
図１０（ａ）に示す構造は、排水ソケット１００を床面に固定するボルトと便器を排水ソケット１００に固定するボルトとを１本のボルト１０３にて兼用したものであり、同図（ｂ）に示す構造は、排水ソケット１００を床面に固定するボルトと、便器を排水ソケット１００に固定するボルト１０３とを別体としたものであり、同図（ｃ）に示す構造は、排水ソケット１００を床面に固定するボルト１０６にて便器を排水ソケット１００に固定するボルト１０３を支持するようにしたものである。
【発明が解決しようとする課題】
【０００４】
上述した従来の便器の固定構造にあっては、排水ソケット１００のフランジ部にボルトを介して便器本体を固定する構造になっており、排水ソケット１００のフランジ部はほぼ床面と等しい高さであるので、低い位置での取付け作業を強いられ、作業性が悪い。
【０００５】
また、床に近い位置に平面部１０１ａを設けているため、便器の下部全周にスカート部を形成することができず、見栄えが悪く、また平面部１０１ａにゴミが溜まりやすく清掃性に関しても問題がある。
【課題を解決するための手段】
【０００６】
上記課題を解決すべく本願の請求項１に記載した腰掛け式便器の固定構造は、便器本体の下部に形成されたスカート部の内側に配置される排水ソケットを介して腰掛け式便器を床面に固定する構造において、前記排水ソケットは中央上部を便器排水口が嵌合する便器接続部とし、また排水ソケットには便器本体を固定するための固定部が設けられ、この固定部は前記便器接続部とほぼ等しい高さに設けられるとともに上下方向の取付け穴が形成され、この取付け穴内にはナットがインサートされ、また便器の床面から高くなった箇所には平面部が形成され、この平面部に取付け穴が形成され、この取付け穴から挿入したボルトを前記ナット１８に螺合せしめた。
【０００７】
このような構成とすることで、床面から高い位置で、且つ上方から作業でき、施工性がよくなる。また、スカート部を便器の下部全周に形成することができるので、見栄えがよくなるとともに清掃性が向上する。
【０００８】
前記した固定構造において、固定部の位置を、便器の排水口を排水ソケットに嵌合した状態で、便器に形成した取付け穴と対向する位置にくるようにすることができる。
このような構成とすることで、便器を排水管に合せて据え付けると同時に固定のための位置決めができ、位置調整が不要となるので、施工性がよくなる。
【０００９】
また、前記した固定構造において、固定部を排水ソケットの一部をなす構成とすることができる。
このような構成とすることで、固定のための別部材が不要となり、部材管理の手間が省け、便器本体の排水口と取付け穴との位置関係にマッチした固定部を精度よく製造でき、更に固定のための位置調整が不要となり施工性が向上する。
【００１０】
また、前記した固定構造において、固定部を排水ソケットとは別体で排水ソケットと組合せて一体となるようにしてもよい。
このような構成とすることで、便器本体の排水口と取付け穴との位置関係がことなる便器に対しても、便器毎の固定部を用意することにより、排水ソケットを基準に固定でき、異なる機種の便器に容易に対応できる。
【００１１】
また、前記した固定構造において、固定部の上端は便器の排水口が嵌合する排水ソケットのゴムジョイントよりも低い位置にすることが好ましい。
このような構成とすることで、施工時に便器の排水口が固定部に当って、破損することを防止できる。
【００１２】
また、前記した固定構造において、便器に設けるボルト等の結合部材が貫通する開口は、便器の平面形状をなす部分に形成することで、結合部材の頭部を覆う化粧キャップを取付ける際の方向性を考慮しなくて済む。
【００１３】
また、前記した固定構造において、前記固定部に、便器を据え付けた際に便器の取付け穴に嵌り込む凸部を形成することができる。
このような構成とすることで、便器と固定部との位置決めが簡単且つ正確に行える。
【００１４】
また、前記した固定構造において、前記固定部に、便器を据え付けた際に便器の取付け穴に貫通するボルト等の結合部材を一体的に設け、或いはボルト等の結合部材が結合するナット等の受結合部材を一体的に設けてもよい。
このような構成とすることで、施工性が向上する。
【００１５】
また、前記した固定構造において、前記結合部材を樹脂製とすることが可能である。
このような構成とすることで、便器の色に合せた結合部材を選択でき、化粧キャップを省略することが可能になる。
【発明の実施の形態】
【００１６】
以下に本発明の実施の形態を添付図面に基づいて説明する。ここで、図１は本発明に係る腰掛け式便器の固定構造を示す縦断面図、図２は同固定構造を適用した便器の側面図、図３は図１の要部拡大図である。
【００１７】
便器本体１の下部には全周に亘ってスカート部２が形成され、後部には洗浄水を排出する立下管部３が設けられ、この立下管部３の下端を排水口４とし、また立下管部３の左右の床面から高くなった箇所に平面部５，５が形成され、この平面部５，５に取付け穴６，６が形成されている。
【００１８】
いっぽう、便器のスカート部２の内側においては床面７に対し排水ソケット８がボルト９にて固定されている。
排水ソケット８は中央上部を便器接続部１０とし、この便器接続部１０に上方からゴムジョイント１１を介して前記排水口４が嵌合している。
【００１９】
また、排水ソケット８の中央下部は排水管接続部１２とし、この排水管接続部１２には大径の排水管が嵌合する外側筒状部１３、小径の排水管が嵌合する内側筒状部１４が形成され、また内側筒状部１４で小径の排水管を外形拘束した場合に、内側筒状部１４と排水管との間に洗浄水が侵入するのを防止するスカート部１５が内側筒状部１４の更に内側に設けられている。
【００２０】
一方、排水ソケット８には左右に固定部１６，１６を設けている。固定部１６は排水ソケット８と一体成形されるとともに、その高さは前記便器接続部１０とほぼ等しくしている。
但し、便器接続部１０にはゴムジョイント１１が被冠しており、このゴムジョイント１１よりは固定部１６が若干低くなるように設定している。
このように、固定部１６を若干低くなるようにすることで、施工時に便器が固定部１６よりも先にゴムジョイント１１に当るため、便器及び排水ソケットに欠け等が生じにくい。
【００２１】
また、固定部１６には上下方向の取付け穴１７が形成されている。取付け穴１７内には予めナット１８がインサートされ、更に取付け穴１７の上部は取付け穴１７の径よりも大きい雌テーパ部１９とされ、便器の取付け穴６からボルト２０を挿入してナット１８に螺合する際に若干位置がずれていても修正されるようにしている。
【００２２】
また、ボルト２０の頭部には化粧キャップ２１が被冠されているが、ボルト２０を樹脂製とすることで、ボルトの色を便器本体１に合せることができるので、化粧キャップを省略してもよい。
【００２３】
図４は排水ソケットの別実施例を示す図であり、この実施例にあっては、Ｌ字型をなす固定部１６，１６を排水ソケット８の側壁に一体的に設けている。この実施例の場合には、固定部１６の下方にスペースが形成されるので、このスペースを利用することができる。
【００２４】
図５は排水ソケットの別実施例を示す図であり、この実施例にあっては、固定部１６と排水ソケット８とを別体とし、固定部１６について複数の種類を用意しておくことで、異なる機種の便器に容易に対応できるようにしている。
【００２５】
図６（ａ）〜（ｄ）は排水ソケットと便器との結合部の別実施例を示す図であり、図６（ａ）に示す構造は、固定部１６の取付け穴１７にナットをインサートせずに直接タッピンネジ２２で便器１を固定しており、同図（ｂ）に示す構造は、ＡＹボルト２３にて便器１を固定しており、同図（ｃ）に示す構造は、予め固定部１６にＴボルト２４を植設し、便器１を排水ソケット８に被せた状態で、便器の取付け穴６からＴボルト２４が突出するようにし、同図（ｄ）に示す構造は、固定部１６の先端を小径部１６ａとし、前記同様、便器１を排水ソケット８に被せた状態で、便器の取付け穴６から小径部１６ａが突出するようにしている。
【００２６】
図７（ａ）〜（ｅ）は便器の固定方法を説明した平面図であり、先ず図７（ａ）に示すように、床面７の排水管２５を通るように便器の中心線Ｌを描き、次いで、同図（ｂ）に示すように、中心線Ｌに合せて排水ソケット８を床面７に固定する。尚、排水ソケット８を固定する際に位置決め部材２６を用いて便器の前部を取付ける固定片２７を床面７に固定する。
【００２７】
そして、同図（ｃ）に示すように、排水ソケット８の底部外周形状に型紙２８の倣った形状部２９を排水ソケット８に合わせるようにして型紙２８を床面に配置し、この後、同図（ｄ）に示すように、便器１を型紙２８に形成した罫書表示３０に合せて型紙２８の上にセットし、次いでボルト２０を用いて便器１を固定部１６に取付けるとともに型紙２８を取り除くことで作業が完了する。
【発明の効果】
【００２８】
以上に説明した如く本発明に係る腰掛け式便器の固定構造によれば、便器の固定作業を高い位置で行えるので施工性が向上し、また便器の下部全周にスカート部を形成することが可能になるので、見栄えがよくなるとともに清掃性も向上する。
【００２９】
また、固定部の位置及び形状を種々工夫することで、位置調整が不要若しくは簡単になり、更には異なる寸法の便器に対しても容易に対応できる。
【００３０】
また、本発明に係る腰掛け式便器によれば、排水ソケット及び固定部が便器のスカート部の内側に内包されていても、便器と排水ソケット及び固定部との位置合せが正確に行え、施工が容易になる。
【図面の簡単な説明】
【００３１】
【図１】本発明に係る腰掛け式便器の固定構造を示す縦断面図
【図２】同固定構造を適用した便器の側面図
【図３】図１の要部拡大図
【図４】同固定構造を構成する排水ソケットの別実施例を示す図
【図５】同固定構造を構成する排水ソケットの別実施例を示す図
【図６】（ａ）〜（ｄ）は排水ソケットと便器との結合部の別実施例を示す図
【図７】（ａ）〜（ｅ）は本発明に係る便器の固定方法を説明した平面図
【図８】従来の固定構造による便器の背面図
【図９】従来の固定構造による便器の側面図
【図１０】（ａ）〜（ｃ）は従来の排水ソケットと便器との結合部を示す図
【符号の説明】
【００３２】
１…便器本体、２…スカート部、３…立下管部、４…排水口、５…平面部、６…取付け穴、７…床面、８…排水ソケット、１０…便器接続部、１１…ゴムジョイント、１２…排水管接続部、１３，１４…筒状部、１６…固定部、１７…取付け穴、１８…インサートナット、１９…雌テーパ部、２０…ボルト、２１…化粧キャップ、２２…タッピンネジ、２３…ＡＹボルト、２４…Ｔボルト、２５…排水管、２８…型紙、２９…型紙の形状部、３０…罫書表示。
【図１】
0003587035.tif 000002
【図２】
0003587035.tif 000003
【図３】
0003587035.tif 000004
【図４】
0003587035.tif 000005
【図５】
0003587035.tif 000006
【図６】
0003587035.tif 000007
【図７】
0003587035.tif 000008
【図８】
0003587035.tif 000009
【図９】
0003587035.tif 000010
【図１０】
0003587035.tif 000011